(57)【要約】【課題】  足の踝付近を捻挫した際、その患部を迅速に圧迫することが出来るとともに、その患部を直接冷却することができる足の踝用保冷剤の提供を課題とする。【解決手段】  保冷剤１０は、保冷剤本体２０と、この保冷剤本体２０に密着してこれを密閉する２枚の合成樹脂製のフィルム３０ａ，３０ｂからなる外被３０とによって構成されている。保冷剤本体２０は、弾性を有するゼリー状の固体であり、足の踝を囲むような「Ｕ」の字の形状に成型されている。この保冷剤本体２０は、冷蔵庫等で冷却されて温度が下がった状態においても弾性を失わずその形状を保持するので、この保冷剤１０は、足の踝の周囲に配置してテープ等によって固定された場合、圧迫材としても機能する。【選択図】  図２
0003213162.tif 000002
【実用新案登録請求の範囲】
【請求項１】
人間の足の踝を囲むような「Ｕ」の字の形状に形成された保冷剤であって、当該保冷剤は、前記足の踝の高さと略同じ厚みで前記「Ｕ」の字の形状に成型された弾性を有するゼリー状の固体である保冷剤本体と、該保冷剤本体を密閉する外被である合成樹脂製のフィルムとによって形成されていることを特徴とする足の踝用保冷剤。
【考案の詳細な説明】
【技術分野】
【０００１】
本考案は、足の踝付近を捻挫した際に、その部位を冷却する足の踝用保冷剤に関するものである。
【背景技術】
【０００２】
従来からスポーツ等の行動時において捻挫をする場合、足の踝付近を捻挫することが比較的に多い。
【０００３】
この足の踝付近の捻挫を含む一般の捻挫に対しては、治療期間を短くするための捻挫直後の初期の処置として「ＲＩＣＥ処置」という方法が日本整形外科学会によって推奨されている。
【０００４】
ここで、「ＲＩＣＥ」とは、「Ｒｅｓｔ（安静）」，「Ｉｃｅ（アイス）」，「Ｃｏｍｐｒｅｓｓｉｏｎ（圧迫）」，「Ｅｌｅｖａｔｉｏｎ（挙上）」の４つの単語の頭文字を取ったものであり、「ＲＩＣＥ処置」とは、捻挫をした場合には、以上４つの処置をする事が肝要であるとする提言である。
【０００５】
以下、足の踝付近を捻挫した場合の「ＲＩＣＥ処置」の一例について図面を用いて説明する。
【０００６】
運動中に足の踝付近を捻挫した場合には、図６に示すように、先ず、捻挫した人間Ｐの運動を停止させて捻挫をした足の踝ａ付近を使わせないようにする（Ｒｅｓｔ処置）。
【０００７】
次に、図７に示したように、捻挫をした部位である足の踝ａを心臓よりも高く挙げるような位置に保持して患部の腫脹を防ぐ（Ｅｌｅｖａｔｉｏｎ処置）。
【０００８】
以上のような状態にした後、図８に示すように、足の踝ａの周囲にスポンジやテーピングパッド等を切って作った圧迫材Ｃを当てて、弾性包帯等のテープＴで軽く圧迫気味に固定して（図９）、患部の内出血や腫脹を防ぐ（Ｃｏｍｐｒｅｓｓｉｏｎ処置）。
【０００９】
そして、図１０に示したように、ビニール袋等に入れた氷Ｉで患部付近を冷却して、二次性の低酸素障害による細胞壊死と腫脹とを抑える（Ｉｃｅ処置）。
【００１０】
以上説明したような「ＲＩＣＥ処置」を捻挫の直後に行い、その後、病院や診療所で適切な治療を施せば、比較的短期間で捻挫を治すことができる。
【考案の概要】
【考案が解決しようとする課題】
【００１１】
捻挫をした直後にこのような「ＲＩＣＥ処置」を行えば、比較的短期間で捻挫を治すことができる。
【００１２】
しかしながら、従来の「ＲＩＣＥ処置」においては、図１０に示したように、腫脹が起こりやすい足の踝ａの周囲の部分を、テープＴで固定されている圧迫材Ｃの上から間接的に氷Ｉで冷却しなければならず、腫脹が起こりやすい足の踝ａの周囲の部分に対する冷却効率が悪いという問題があった。
【課題を解決するための手段】
【００１３】
以上の問題を解消するために、本考案は、人間の足の踝を囲むような「Ｕ」の字の形状に形成された保冷剤であって、当該保冷剤は、前記足の踝の高さと略同じ厚みで前記「Ｕ」の字の形状に成型された弾性を有するゼリー状の固体である保冷剤本体と、該保冷剤本体を密閉する外被である合成樹脂製のフィルムとによって形成されていることを特徴とするものである。
【考案の効果】
【００１４】
本考案によれば、足の踝付近を捻挫した際、その患部を迅速に圧迫することが出来るとともに、その患部を直接冷却することができる足の踝用保冷剤を提供することができる。
【図面の簡単な説明】
【００１５】
【図１】本考案の実施例１の外観構成を示す斜視図である。
【図２】本考案の実施例１の分解斜視図である。
【図３】本考案の実施例１の機能の説明図である。
【図４】本考案の実施例１の機能の説明図である。
【図５】本考案の実施例１の使用方法の説明図である。
【図６】足の踝付近を捻挫した際に従来から行なわれている処置（ＲＩＣＥ処置）の説明図である。
【図７】足の踝付近を捻挫した際に従来から行なわれている処置（ＲＩＣＥ処置）の説明図である。
【図８】足の踝付近を捻挫した際に従来から行なわれている処置（ＲＩＣＥ処置）の説明図である。
【図９】足の踝付近を捻挫した際に従来から行なわれている処置（ＲＩＣＥ処置）の説明図である。
【図１０】足の踝付近を捻挫した際に従来から行なわれている処置（ＲＩＣＥ処置）の説明図である。
【考案を実施するための形態】
【００１６】
以下、本考案の実施例を図面を用いて説明する。
【実施例１】
【００１７】
図１は本考案の実施例１に係る足の踝用の保冷剤１０の外観構成を示した斜視図であり、図２はその分解斜視図である。
【００１８】
図１および図２に示したように、本実施例１に係る保冷剤１０は、保冷剤本体２０と、この保冷剤本体２０を密閉する外被３０によって構成されている。
【００１９】
図１に示したように、本実施例１に係る保冷剤１０の形状は、先に説明した従来の「ＲＩＣＥ処置」の際に使用されているスポンジやテーピングパッド等を切って作る圧迫材Ｃ（図８参照）の形状と同様に、足の踝の周囲の部位に密着する踝の高さと略同じ厚み（１ｃｍくらいの厚み）を有する「Ｕ」の字の形状に選ばれている。
【００２０】
ここで、図２に示したように、保冷剤本体２０は本実施例１の形状と同様の形状となるように成型された弾性を有するゼリー状の固体であり、外被３０は、この保冷剤本体２０に密着する２枚の合成樹脂製のフィルム３０ａ，３０ｂによって構成されている。この外被３０を構成する２枚のフィルム３０ａ，３０ｂの周縁部は全面に亘って互いに融着されている。
【００２１】
本実施例１においては、保冷剤本体２０として、三重化学工業株式会社の「アイシングフィット−Ｇ」や「スノーパッククール」等の名称の商品に使用されているアクリルアミド架橋体からなる板状ゲルが使用されており、また、外被３０は、ＢＮＳ（ベストナイロン）やオレフィン系合成樹脂等の合成樹脂のフィルムによって構成されている。
【００２２】
以上のように構成された本実施例１においては、冷却された状態でその温度が下がった状態でも弾性を失わないゼリー状の固体で保冷剤本体２０が構成されているため、図３（ａ）〜（ｃ）に示したように、冷却された状態の本実施例１に係る保冷剤１０を指Ｆで押圧しても、その押圧時においては弾性変形はするものの、指Ｆを離せば元の形状に復帰する。従って、本実施例１に係る保冷剤１０は、冷却機能のみならず、従来から使用されているスポンジ等で作成される圧迫材Ｃ（図８参照）と同様の機能を果たす。
【００２３】
ここで、もし食品等の冷却剤として一般に用いられている糊状の保冷材料で保冷剤本体を構成した場合には、図４（ａ）〜（ｃ）に示したように、糊状の保冷剤本体４０を含む保冷剤１０を指Ｆで押圧した場合、指Ｆを離してもその形状はすぐには元の形状に復帰しない。従って、このような糊状の保冷材料で保冷剤本体を構成した場合には、本実施例１のような圧迫材としての機能を果たすことができない。
【００２４】
次に、本実施例１を用いた「ＲＩＣＥ処置」について説明する。
【００２５】
足の踝付近を捻挫した場合には、先ず、従来と同様に図５（ａ）に示したように、捻挫した人間Ｐの足の踝ａを心臓よりも高く挙げるような位置に保持して患部の腫脹を防ぐ。
【００２６】
このような状態にしておいて、あらかじめ冷蔵庫等で冷却してある本実施例１に係る保冷剤１０を、図５（ｂ）に示したように足の踝ａの周囲に配置して、従来と同様にテープＴで軽く圧迫気味に固定し、図５（ｃ）に示したような状態にして「ＲＩＣＥ処置」を終了する。
【００２７】
このように本実施例１に係る保冷剤１０を用いれば、「Ｃｏｍｐｒｅｓｓｉｏｎ（圧迫）処置」と「Ｉｃｅ（アイス）処置」とを同時に迅速に行うことができる。さらに、本実施例１においては、保冷剤１０が直接患部を冷却するので、従来に比して患部に対する冷却を効率的に行なうことができる。
【００２８】
なお、本実施例１に係る保冷剤１０は、患部を冷却して保冷剤１０の温度が上昇した場合には、冷蔵庫等で本実施例１を再度冷却すればその温度を下げることができ、本実施例１の冷却機能を回復させることができる。
【符号の説明】
【００２９】
Ｃ  圧迫材
Ｆ  指
Ｉ  氷
Ｐ  人間
Ｔ  テープ
ａ  足の踝
１０  保冷剤
２０，４０  保冷剤本体
３０  外被
３０ａ，３０ｂ  合成樹脂製のフィルム
【図１】
0003213162.tif 000003
【図２】
0003213162.tif 000004
【図３】
0003213162.tif 000005
【図４】
0003213162.tif 000006
【図５】
0003213162.tif 000007
【図６】
0003213162.tif 000008
【図７】
0003213162.tif 000009
【図８】
0003213162.tif 000010
【図９】
0003213162.tif 000011
【図１０】
0003213162.tif 000012